(57)【要約】  手術用装置であり、第１ジョーと、該第１ジョーに対して対向的に配置された第２ジョーとを有する。第２ジョーは、末端部と対向する基端部において、第１ジョーと機械的に結合している。切断要素が第２ジョー内に配置されており、また、第１ジョーと第２ジョーの間に配置した組織部位を切断するために、第１ドライバが、切断要素を、第２ジョーの末端部から基端部へと近接的に移動するように構成されている。切断要素と吻合要素は、上部に刃を設置したウェッジのように切断および吻合要素を画定するように、連続していてよい。ウェッジが、第２ジョーの末端部から基端部へ近接的に移動するに従い、ウェッジが、複数の留め具を、第１ジョー内に配置された対向する複数の吻合案内部に対抗して押圧することで、組織部位を切断しながら吻合する。
2005511131.tif 000002
【特許請求の範囲】
【請求項１】
手術用装置であって、
第１ジョーと；
該第１ジョーと、末端部とは反対の基端部において第１ジョーと機械的に結合している、前記第１ジョーに対して対向的に配置された第２ジョーと；
前記第２ジョー内に配置された切断要素と；
該第１ジョーと第２ジョーの間に配置された組織部位を切断するために、切断要素を、前記第２ジョーの末端部から基端部へ近接的に移動するように構成されている第１ドライバとを有する手術用装置。
【請求項２】
前記切断要素が、該基端部と対向した切断縁を有する、請求項１に記載の装置。
【請求項３】
前記第２ジョー内に配置された吻合要素をさらに有する、請求項１に記載の装置。
【請求項４】
切断および吻合要素を設けるために、前記切断要素と前記吻合要素が連続している、請求項３に記載の装置。
【請求項５】
前記切断および吻合要素が、その上部に刃を配置したウェッジを含む、請求項４に記載の装置。
【請求項６】
前記切断および吻合要素が、第２ジョー内に形成されたウェッジ案内チャネル内に設定されている、請求項５に記載の装置。
【請求項７】
前記第１ジョーと結合した第２ドライバをさらに有しており、前記第２ドライバが、両ジョーを開放するために、前記第２ドライバが作動された際に、第１ジョーと第２ジョーを離間させ、また、両ジョーを閉鎖するべく該第２ドライバが作動された際に、第１ジョーと第２ジョーを閉鎖するように構成されている、請求項１に記載の装置。
【請求項８】
前記第２ドライバが、回転および連動関係において配置された、一対のねじ切りした回転シャフトとねじ切りした水平ギアシャフトを有しており、前記回転シャフトと水平ギアシャフトが、一対のねじ切りした回転シャフトを具備しており、前記水平ギアシャフトの回転により、前記第１ジョーと第２ジョーの相対移動が生じる、請求項７に記載の装置。
【請求項９】
前記第２ドライバが、少なくとも１本のねじ切りした回転シャフトを有しており、前記第１ジョーが、該ねじ切りした回転シャフトを内部に受容するための、対応した少なくとも１個のねじ切りした内径を設けており、これにより、前記回転シャフトが回転すると、該第１ジョーが、該回転シャフトの回転方向に従って、前記第２ジョーから離れて、またはこれに向かって、該回転シャフトに沿って軸方向へ移動する、請求項７に記載の装置。
【請求項１０】
前記第２ドライバが、該第１ジョーの移動を実施するよう構成された第１回転可能シャフトを有しており、前記第１回転可能シャフトが、閉鎖位置にある前記第１ジョー、第２ジョーの平行軸に対して平行に配置されている、請求項１に記載の装置。
【請求項１１】
前記第１回転可能シャフトが第１方向に回転することで、前記両ジョーの開放が実施され、また、該第１方向とは反対の第２方向に回転することで、前記両ジョーの閉鎖が実施される、請求項１０に記載の装置。
【請求項１２】
前記第１回転可能なシャフトの基端部が、電気機械式ドライバの第１ドライブシャフトと結合するように構成されており、前記電気機械式ドライバが、該第１回転可能シャフトを回転するように構成されている、請求項１１に記載の装置。
【請求項１３】
前記第１ドライバが、閉鎖位置にある前記第１ジョーと第２ジョーの平行軸に対して平行に配置された縦軸の周囲で回転可能な第２回転可能シャフトをさらに有する、請求項１１に記載の装置。
【請求項１４】
前記第１ドライバを駆動するべく設けられた第１回転可能なドライブシャフトと、該第２ドライバを駆動するべく設けられた第２回転可能ドライブシャフトとを具備した電気機械ドライバをさらに有する、請求項１１に記載の装置。
【請求項１５】
前記電気機械ドライバが、該第１、第２回転可能ドライブシャフトを駆動するべく設けられた、少なくとも１個のモータ装置を有する、請求項１４に記載の装置。
【請求項１６】
前記電気機械ドライバが、該第１回転可能ドライブシャフトを駆動するべく設けられた第１モータ装置と、該第２回転可能ドライブシャフトを駆動するベく設けられた第２モータ装置とを有する、請求項１５に記載の装置。
【請求項１７】
前記第１ドライバと第２ドライバの各々を駆動するベく設けられた電気機械ドライバをさらに有する、請求項７に記載の装置。
【請求項１８】
前記電気機械ドライバが、前記第２ドライバと第１ドライバの各々を独立して駆動するべく設けられている、請求項１７に記載の装置。
【請求項１９】
前記第１ジョーおよび前記第２ジョーが、開放および閉鎖位置の両方に対して平行に配置されている、請求項１に記載の装置。
【請求項２０】
前記第１ジョーおよび前記第２ジョーが鋏形状に配置されているため、該第１ジョー、該第２ジョーが、閉鎖位置に対して平行に配置され、開放位置にある場合に、前記第１ジョーと前記第２ジョーの末端部間の距離が、両ジョーの基端部間の距離よりも長い、請求項１に記載の装置。
【請求項２１】
前記切断要素が、該第２ジョー内に回転可能に取付されている、請求項１に記載の装置。
【請求項２２】
前記切断要素が近接的に移動する際に、前記切断要素が、第１位置から第２位置へ移動する、請求項２１に記載の装置。
【請求項２３】
前記切断および吻合要素が、該ウェッジと移動可能に結合した刃を有する、請求項５に記載の装置。
【請求項２４】
前記刃が該ウェッジと回転可能に結合している、請求項２３に記載の装置。
【請求項２５】
前記切断および吻合要素が近接的に移動する際に、前記刃が、引き込み位置と切断位置の間で、該ウェッジに対して回転可能である請求項２４に記載の装置。
【請求項２６】
電気機械式手術用システムであって、
細長いシャフトと；
前記細長いシャフト内に配置された、少なくとも第１軸方向へ回転可能なドライブシャフトと；
該細長いシャフトの末端部と取り外し可能に結合するよう構成された手術用装置とを有しており、前記装置が；
第１ジョーと；
該第１ジョーと、末端部とは反対の基端部において第１ジョーと機械的に結合した、前記第１ジョーに対して対向的に配置された第２ジョーと；
さらに、前記第２ジョー内に配置された切断要素と；
該第１ジョーと第２ジョーの間に配置された組織部位を切断するために、切断要素を、前記第２ジョーの末端部から基端部へ近接的に移動するように構成されている第１ドライバと；
少なくとも１本の第１ドライブシャフトを駆動するよう構成されたモータシステムを有する、電気機械式手術用システム。
【請求項２７】
前記切断要素が、該基端部に向いた切断縁を有する、請求項２６に記載の電気機械式手術用システム。
【請求項２８】
前記第２ジョー内に配置された吻合要素をさらに有する、請求項２６に記載の電気機械式手術用システム。
【請求項２９】
前記切断要素と吻合要素を具備した切断および吻合要素をさらに有する、請求項２８に記載の電気機械式手術用システム。
【請求項３０】
前記切断および吻合要素が、上部に刃を配置したウェッジを含む、請求項２９に記載の電気機械式手術用システム。
【請求項３１】
前記切断および吻合要素が、第２ジョー内に形成されたウェッジ案内チャネル内に設定されている、請求項３０に記載の電気機械式手術用システム。
【請求項３２】
前記第１ジョーと結合した第２ドライバをさらに有しており、前記第２ドライバが、両ジョーを開放するために、前記第２ドライバが作動された際に、第１ジョーと第２ジョーを離間させ、また、両ジョーを閉鎖するべく該第２ドライバが作動された際に、第１ジョーと第２ジョーを閉鎖するように構成されている、請求項２６に記載の電気機械式手術用システム。
【請求項３３】
さらにハウジングを有しており、前記細長いシャフトの基端部が該ハウジングから延びている、請求項２６に記載の電気機械式手術用システム。
【請求項３４】
前記モータシステムが、前記第１軸方向に回転可能なドライブシャフトを駆動するよう構成された第１モータと、前記第２軸方向に回転可能なドライブシャフトを駆動するよう構成された第２モータとを有する、請求項２６に記載の電気機械式手術用システム。
【請求項３５】
該モータシステムを制御するよう構成された制御システムをさらに有する、請求項２６に記載の電気機械式手術用システム。
【請求項３６】
前記制御システムが該ハウジング内に配置されている、請求項３５に記載の電気機械式手術用システム。
【請求項３７】
前記制御システムを介して該モータシステムを制御するために、前記制御システムと通信するよう構成された遠隔制御ユニットをさらに有する、請求項３６に記載の電気機械式手術用システム。
【請求項３８】
前記遠隔制御ユニットが、少なくとも１個の有線式遠隔制御ユニットと、無線式遠隔制御ユニットとを有する、請求項３７に記載の電気機械式手術用システム。
【請求項３９】
少なくとも１本の第１ドライブシャフトに関連したセンサをさらに有しており、前記センサが、前記少なくとも１本のドライブシャフトの回転に反応して、また、これに関連して信号を出力する、請求項２６に記載の電気機械式手術用システム。
【請求項４０】
前記制御システムが、前記センサの出力信号に基づいて、少なくとも１つの回転位置、少なくとも１本のドライブシャフトの回転方向を判断するよう構成されている、請求項３９に記載の電気機械式手術用システム。
【請求項４１】
前記制御システムが第１メモリユニットを有する、請求項３５に記載の電気機械式手術用システム。
【請求項４２】
前記第１メモリユニットが、複数のオペレーティング・プログラムを記憶するよう構成されており、前記オペレーティング・プログラムのうち少なくとも１つが、細長いシャフトの末端部に取付された切断および吻合装置に関連している、請求項４１に記載の電気機械式手術用システム。
【請求項４３】
前記制御システムが、前記細長いシャフトの末端部に取付された該手術用器具を該切断および吻合装置として識別するよう構成されており、前記切断および吻合装置が、該細長いシャフトの末端部に取付可能な複数タイプの手術用器具の内の１つであり、前記制御システムが、前記切断および吻合装置に関連した該第１メモリユニットからの該オペレーティング・プログラムの読み取りおよび選択のうち少なくとも一方を実行するよう構成されている、請求項４２に記載の電気機械式手術用システム。
【請求項４４】
前記制御システムが、前記切断および吻合装置内に配置されている第２メモリユニットから読み取ったデータに従って、切断および吻合装置を、該細長いシャフトに取付した手術用器具のタイプとして識別するよう構成されている、請求項４３に記載の電気機械式手術用システム。
【請求項４５】
前記細長いシャフト内に配置されたデータケーブルをさらに有しており、前記データケーブルが、前記制御システムと論理的および機械的に結合しており、また、前記第２メモリユニットと論理的および電気的に結合可能である、請求項４４に記載の電気機械式手術用システム。
【請求項４６】
方法であって、
第２ジョーに対して対向的に配置された第１ジョーと、末端部とは反対の基端部において前記第１ジョーと機械的に結合した第２ジョーとの間に組織部位を位置決めする段階を有し；
前記第１ジョーと第２ジョーの間に配置した組織部位を切断するために、前記切断および吻合要素を、第２ジョーの末端部から基端部へ近接的に移動するべく、前記にジョーの末端部内に配置されている切断要素に結合した第１ドライバを作動する段階をさらに有する方法。
【請求項４７】
前記切断要素がさらに吻合要素を有しており、これにより、該第１ドライバの作動により、該組織部位の切断と吻合が同時に実施される、請求項４６に記載の方法。
【請求項４８】
前記第１ジョーと第２ジョーの間に組織部位をクランピングするために、前記第１ジョーを第２ジョーに向かって閉鎖させるようにするべく、前記第１ジョーと結合している第２ドライバを作動する段階をさらに有する、請求項４６に記載の方法。
【請求項４９】
前記第２ドライバが、一対のねじ切りした回転シャフトと、該ねじ切りした回転シャフトと回転およびギア関係において配置されたねじ切りした水平ギアシャフトとを有しており、前記第２ドライバ作動段階が、前記水平ギアシフトを回転させる副段階を有する、請求項４８に記載の方法。
【請求項５０】
前記第２ドライバが、少なくとも１本のねじ切りした回転シャフトを有しており、前記第１ジョーが、関連する少なくとも１個の、該ねじ切りした回転シャフトを受容するためのねじ切りした内径を有し、前記方法がさらに、前記回転シャフトを第１回転方向に回転することで、第１ジョーと、第２ジョーと対向的に関連した第１ジョーとの間に前記組織部位を位置決めする以前に、該第１ジョーを、回転軸に沿って、第２ジョーから離間して軸方向に移動する段階を有し、また、前記第２ドライバ作動段階が、前記回転シャフトを第２回転方向に回転することで、前記組織部位をクランピングするために、第１ジョーを、第２ジョーに向かって、回転シャフトに沿って軸方向に移動する副段階を有する、請求項４８に記載の方法。
【請求項５１】
前記切断および吻合要素が、前記第２ジョー内に設けたウェッジ案内チャネル内に設置した刃とウェッジを有する、請求項４６に記載の方法。
【請求項５２】
前記第２ドライバが、該第１ジョーの移動を実施するよう構成された第１回転可能シャフトを有しており、前記第１回転可能シャフトが、閉鎖位置にある第１、第２ジョーと関連した平行軸と平行に配置されている、請求項４６に記載の方法。
【請求項５３】
前記第２ドライバ作動段階が、両ジョーを開放するべく、該第１回転可能シャフトを第１方向に回転し、また、両ジョーを閉鎖するべく、該第１回転可能シャフトを該第１方向と対向する第２方向に回転する副段階を有する、請求項５２に記載の方法。
【請求項５４】
前記第１回転可能シャフトの基端部を、前記電気機械式ドライバ装置の第１回転可能ドライブシャフトと結合する段階と；
前記回転可能ドライブシャフトの回転によって、前記第１回転可能シャフトを回転する段階とをさらに有する、請求項５３に記載の方法。
【請求項５５】
前記第１ドライバが、閉鎖位置にある前記第１、第２ジョーに関連した平行軸と平行に配置した縦軸の周囲で回転可能な第２回転可能シャフトを有する、請求項４６に記載の方法。
【請求項５６】
前記第２ドライバを、電気機械式ドライバ装置の第１回転可能ドライブシャフトと結合する段階と；
前記第１ドライバを、前記電気機械式ドライバ装置の第２回転可能ドライブシャフトと結合する段階とをさらに有する、請求項４８に記載の方法。
【請求項５７】
前記第１、第２回転可能ドライブシャフトの各々を、前記電気機械式ドライバ装置の少なくとも１個のモータ装置で駆動する段階をさらに有する、請求項５６に記載の方法。
【請求項５８】
前記第１回転可能ドライブシャフトを、前記電気機械式ドライバ装置の第１モータ装置で駆動する段階と；
前記第２回転可能ドライブシャフトを、前記電気機械式ドライバ装置の第２モータ装置で駆動する段階とをさらに有する、請求項５６に記載の方法。
【請求項５９】
該第１ドライバと第２ドライバの各々を、電気機械式ドライバ装置で駆動する段階をさらに有する、請求項５７に記載の方法。
【請求項６０】
前記第１ドライバと第２ドライバを電気機械式ドライバで駆動する段階が、前記第１ドライバと第２ドライバの各々を独立的に駆動する副段階をさらに有する、請求項５９に記載の方法。
【発明の詳細な説明】
【技術分野】
【０００１】
（関連出願の参照）
本出願は、以下に示す参照文献を、その全体において記述されている場合にはできる限り完全に採用している：２００１年６月２２日付で提出の米国特許第明細書出願番号０９／８８７、７８９号；２００１年４月１７日付けで提出の米国特許第明細書出願番号０９／８３６、７８１号；２０００年１１月２８日付けで提出の米国特許第明細書出願番号０９／７２３、７１５号；１９９９年７月１２日付けで提出の米国特許第明細書出願番号０９／３２４、４５１号；１９９９年６月２日付けで提出の米国特許第明細書出願番号０９／３２４４５２号；１９９９年６月２日付けで提出され、２００１年７月２４日付けで米国特許第６、２６４、０８７号として発行された米国特許第明細書出願番号０９／３５１５３４号；２０００年２月２２日付けで提出の米国特許第明細書出願番号０９／５１０、９２３号；２０００年２月２２日付けで提出の米国特許第明細書出願番号０９／５１０、９２７号。
【０００２】
本発明は手術用装置に関する。より詳細には、本発明は、組織をクランピング、切断、吻合（stapling）するための、直線状クランピング、切断、および吻合装置に関する。
【背景技術】
【０００３】
手術用装置を説明している文献は豊富にある。出願人による同時係属出願である米国特許第明出願番号０９／８８７、７８９号は、以下の手術用装置のうちいくつかを列挙している；Ｓｊｏｓｔｒｏｍらによる米国特許第４、７０５、０３８号；Ａｍｓらによる米国特許第４、９９５、８７７号；Ｍａｌｌａｂｙによる米国特許第４、２４９、５８３号；Ｈｏｏｖｅｎによる米国特許第５、３８３、８８０号；Ｂｙｒｎｅらによる米国特許第５、３９５、０３３号；Ｔｓｕｒｕｔａらによる米国特許第５、４６７、９１１号；Ｈｏｏｖｅｎによる米国特許第５、５１８、１６３号、第５、５１８、１６４号、第５、６６７、５１７号；Ｙｏｕｎｇらによる米国特許第５、６５３、３７４号；Ａｌｅｓｉらによる米国特許第５、７７９、１３０号；Ｖｉｏｌａらによる米国特許第５、９５４、２５９号。
【０００４】
或るタイプの手術用装置は直線状クランピング、切断、吻合を行う装置である。このような装置の例が、２００１年７月２４日付けで発行された米国特許第６、２６４、０８７号に示され、説明されている。このような装置は、胃腸管から癌性または異常な組織を切除するための手術手順に採用することができる。
【０００５】
図１に示す従来の直線状クランピング、切断、吻合を行う器具の構造的特徴に関連して、該装置は、細長いシャフトと末端部分を具備したピストル握持型構造を有する。この末端部には、結腸の開放端部を閉鎖状態にクランピングする、一対の鋏型の握持要素が含まれている。この装置では、２個の鋏型の握持要素のうち一方である、アンビル部分が、全体構造に対して移動または旋回し、その一方で、他方の握持要素が全体構造に対して固定される。ハンドル内に設けられた握持トリガが、この鋏型装置の作動（アンビル部分の旋回）を制御する。
【０００６】
鋏型装置に加えて、末端部も吻合機構を有する。鋏型機構の固定された握持要素は、吻合カートリッジ受容範囲と、クランピングされた組織の端部を上方に貫通して吻合し、アンビル部分に対抗して駆動することで、開放している端部を密封するための機構とを有する。鋏型要素は、シャフトと一体形成するか、または、様々な鋏型および吻合要素を相互交換できるようにするべく取り外し可能にすることができる。
【発明の開示】
【発明が解決しようとする課題】
【０００７】
前述の手術用装置、および、前述の、図１に示すような直線状クランピング、切断、吻合を行う装置に伴う１つの問題は、組織を切断および吻合する動作中に、クランピング機構の対向する２個のジョーが強制的に離間してしまう傾向にあることである。前述の手術用装置、および、特に、図１に示すような前述の直線状クランピング、切断、吻合を行う装置に伴う別の問題は、装置の操作が困難であることである。直線状のクランピング、切断、吻合を行う装置は身体的な採用、例えば、患者の身体内での採用が可能であるため、該装置を、患者の身体内で操作できるよう十分に小型な構造にする必要がある。図１に示すような、従来の直線状クランピング、切断、吻合を行う装置の全体長は長く、これにより、特に患者身体内での装置の操作が困難になってしまう。
【０００８】
前述の手術用装置、特に、図１に示すような、前述の直線状クランピング、切断、吻合を行う装置に伴うさらに別の問題は、組織部位を切断および吻合するために必要なトルクが不適切に高いため、装置の様々な構成要素に応力が生じてしまうことである。例えば、別の、切断および吻合要素を基端部から末端部へ移動する、直線状クランピング、切断および吻合を行う装置では、切断および吻合が末端部にある際に、切断および吻合を行う要素を移動するために、高いトルクが必要である。したがって、切断および吻合要素が両ジョーの末端部へ移動すると、高いトルクによって、切断および吻合要素、および装置のドライバ機構に応力が生じてしまう。
【課題を解決するための手段】
【０００９】
本発明は、その１つの例証的実施形態によれば、第１ジョーと、第１ジョーに対して対向的に配置された第２ジョーとを有した手術用装置に関連する。第２ジョーは、末端部と対向する基端部において、第１ジョーと機械的に結合している。基端部と対向した刃を具備している切断要素が第２ジョー内に配置されており、また、第１ドライバが、第２ジョーの末端部から基端部へ切断要素を移動することで、第１ジョーと第２ジョーの間に配置された組織部位を切断するように構成されている。
【００１０】
或る例証的な実施形態によれば、この装置は、第２ジョー内に配置された吻合要素を有することができ、この場合、切断要素と吻合要素が、例えば刃が上設されたウェッジのような、単一の切断および吻合要素を画定するべく連続している。ウェッジが第２ジョーの末端部から基端部へ移動すると、ウェッジが、留め具（staples）を、第１ジョー内に配置された対向する吻合案内部へに送り、刃が組織部位を切断する一方で、組織部位の吻合を行う。
【００１１】
切断および吻合動作中に、切断および吻合要素を機構の末端部から基端部へ移動することで、例証的実施形態が、装置の動作中に上方ジョーと下方ジョーが分離する傾向を低減することができる。詳細には、切断および吻合動作の最中に、切断および吻合要素を機構の末端部から基端部へ移動することで、末端部における上方ジョーと下方ジョーの間の距離が短縮される可能性がある。
【００１２】
これに加えて、切断および吻合動作の最中に、切断および吻合要素を機構の末端部から基端部へと移動することで、例証的実施形態は、切断および吻合動作中に必要なトルクを低減し、これにより、手術用装置の様々な構成要素にかかる応力を減少することができる。切断および吻合要素を機構の末端部に収容することで、例証的な実施形態は、手術用装置の長さを、従来の直線状クランピング、切断、吻合を行う装置と比較して短縮して、特に患者の身体内で使用する際に、装置の操作性を向上させ、また、従来の直線状クランピング、切断、吻合を行う装置と比較して、より長い組織部位をクランピング、切断、吻合できるようにするためにストローク（例えば、切断および吻合できる距離）を長くすることが可能である。
【発明を実施するための最良の形態】
【００１３】
本発明による手術用装置の一例を図３〜図２０に示している。図３、図４を参照すると、手術用装置１１の例証的な実施形態、例えば直線状クランピング、切断、吻合装置を示している。この実施形態では、装置１１は、基部１００を有した上方ジョー８０に対向する下方ジョー５０を有する平行な分離ジョーシステムを含んでいる。図３は、閉鎖状態にある装置１１を示しており、ここでは、下方ジョー５０と上方ジョー８０がそれぞれの基部および末端部において接触している。図４は、開放状態にある装置１１を示しており、ここでは、下方ジョー５０と上方ジョー８０が分離している。図示のみの理由から、図３〜図２０は、相互に対して平行な状態にある対向したジョー５０、８０を図示している。別の例証的実施形態では、対向するジョー５０、８０は鋏状の形式で開閉することができ、ここでは、対向するジョー５０、８０の基部が、蝶番またはその他の回転要素によって、上方ジョー５０が下方ジョー８０と回転可能に結合するように機械的に接続している。
図５は、図３に示す図に関連した、閉鎖状態にある手術用装置１１の側部断面図である。一方、図６は、図４に示す図に関連した、開放状態にある手術用装置１１の側部断面図である。次に図５または図６を参照すると、上方ジョー８０の基端部１００は、対応する一対の垂直シャフト１３０が貫通する一対のねじ切りした垂直内径９０を含んでいる。垂直内径９０の内部ねじ切り部９２は垂直シャフト１３０の外部ねじ切り部１３２よりも遥かに大きい。垂直シャフト１３０は、上方水平シャフト１５１の末端部１４０において、ねじ切りした上方水平シャフト１５１と係合する。上方水平シャフト１５１の外部ねじ切り部１５２は垂直シャフト１３０の外部ねじ切り部１３２と相互係合する。上方水平シャフト１５１の基端部１７０には上方ドライブソケット１８０が設けられている。
【００１４】
図５Ａは、本発明の例証的実施形態による、図３、図４に示した手術用装置１１の閉鎖状態配置を示す別の断面図である。図５Ａは、電気機械式手術用システム５１０と（取り外し可能または永久的に）結合した手術用装置１１を示している。手術用装置１１は、第１ドライブシャフト５３２によって、システム５１０の第１モータ５７６と結合した第１ドライバ２６１を有する。以下に詳細に説明するように、第１ドライバ２６１は、システム５１０によって係合している際に、下方ジョー５０内で切断および吻合要素を駆動するべく動作する。さらに、手術用装置１１は、第２ドライブシャフト５３０によってシステム５１０の第２モータ５８０と結合した第２ドライバ１５０を有する。以下に詳細に説明するように、第２ドライバ１５０は、システム５１０によって係合している際に、上方ジョー８０を下方ジョー５０に関連して開閉するべく動作する。
【００１５】
再び図５、図６を参照すると、手術用装置１１は、上部に刃５１が取付されたウェッジ２７０を具備した切断要素および吻合要素をさらに有する。別の例証的な実施形態では、この切断要素および吻合要素を別個に分けて設けることができる。この例証的な実施形態では、刃５１は、手術用装置１１の基端部１７０に向いた切断縁５１ａを有する。下方ジョー５０内部には、交換可能であってよく、例えばとじ金２３０を１つまたはそれ以上のファスナを収容したトレー２２０が配設されており、また、上方ジョー８０内部には、留め具２３０に対応した吻合案内部２４０が配設されている。各留め具２３０は、トレー２２０の下に突出した太い端部２３２と、トレイ２２０の上部へと突出した一対の先の鋭い端部２３４とを有する。手術用装置１１はさらに、トレイ２２０の下に延びたウェッジ案内部またはチャネル２５０を具備している。チャネル２５０内には、外部ねじ切り部２６２を装備したねじ切り下方水平シャフト２６０が延びている。下方水平シャフト２６０の上には、傾斜した上面２８０を具備したウェッジ２７０と、チャネル２５０と同軸である水平ねじ切り内径２９０と、上方へ延びた刃部材５１とが走行しており、該水平ねじきり内径２９０は、下方水平シャフト２６０の外部ねじ切り２６２と合致する内部ねじ切り２９２を装備している。先述したように、刃部材５１は、手術用装置１１の基端部１７０に向いた切断縁５１ａを有する。下方水平シャフト２６０は、少なくとも基端部３００において、第２ドライブソケット３１０を具備している。
【００１６】
図示した例証的実施形態において、手術用装置１１はさらに、通信ワイヤを介して第１接触パッド１８７と電気通信する第１センサ電極１８２を有しており、この第１接触パッド１８７が、例えば直接接触を介して第２接触パッド１８９と電気通信する。第２接触パッド１８９は、通信ワイヤ１８８ａを介して第１接触ノード１８８と電気通信する。同様に、手術装置１１はさらに、通信ワイヤを介して、第２接触ノード１８６（図７に図示）と電気通信する第２センサ電極１８４を有する。接触パッド１８６、１８８は、電気機械ドライブ構成要素５１０内に配線した通信ワイヤ（図示せず）と電気通信してセンサ回路を形成しているため、上方ジョー８０と下方ジョー５０が共にクランピングされると、センサ電極１８２、１８４が接触し、センサ回路が閉鎖して、別の回路構成要素（以降にてより詳細に説明する）を介して、操作者にジョー５０、８０のクランピング状態が警告される。これにより、操作者は、切断・吻合処理を開始することが安全および／または適切である旨を知らされる。
【００１７】
図７は、図５に示した手術用装置１１の、線７−７に沿った背面断面図である。図７は第２接触ノード１８６、さらに、第１ドライブシャフトと係合するための上方ドライブソケット１８０、第２ドライブシャフトと係合するための下方ドライブソケット３１０を具備している。図７はさらに、データ・メモリ・ユニット１１７４（図５、図６に示す）と結合したデータコネクタ１２７２を示しており、このデータコネクタ１２７２の目的および動作について以降により詳細に説明している。図８は、図５に示した手術用装置１１の、線８−８に沿った背面断面図である。図９は、図５に示した手術用装置１１の、線９−９に沿った背面断面図である。図１０は、図５に示した手術用装置１１の、線１０−１０に沿った背面断面図である。
【００１８】
図１１は、図に示した手術用装置１１の、線１１−１１に沿った背面断面図である。図１２は、図６に示した手術用装置１１の、線１２−１２に沿った背面断面図である。図１３は、図６に示した手術用装置１１の、線１３−１３に沿った後面図である。図１４は、図６に示した手術装置１１の、線１４−１４に沿った後面図である。
【００１９】
図１５は、図５、図６に示した手術用装置１１の、線１５−１５に沿った底面図である。図１６は、図５、図６に示した手術用装置１１の、線１６−１６に沿った上面断面図である。図１７は、図５、図６に示した手術用装置１１の、線１７−１７に沿った深い上面断面図である。図１８は、図５、図６に示した手術用装置１１の、線１８−１８に沿った底面断面図である。図１９は、図５、図６に示した手術用装置１１の、線１９−１９に沿った上面図である。図２０は、図５、図６に示した手術用装置１１の、線２０−２０に沿った側部断面図である。
【００２０】
上述した例証的な実施形態の各々は、上部に刃５１が固定して配設されたウェッジ２７０を有する。本発明の別の例証的な実施形態によれば、手術用装置１１は、ウェッジに移動可能に結合した、または取付された刃を有するため、刃を第１位置と第２位置の間で、ウェッジに対して移動することができる。或る実施形態によれば、ウェッジに対する刃の第１位置は引き込み位置であってよく、その一方で、ウェッジに対する刃の第２位置は、例えば、歯の切断縁が手術用装置１１の下方ジョー５０の基端部と対向する動作可能位置であってよい。
【００２１】
図３１〜図３３は或る例証的な実施形態を示しており、ここでは、手術用装置１１は、第１位置と第２位置の間で回転できるよう、ウェッジ６７０と回転可能に結合した刃６５１を含んでいる。以下に、図３１〜図３３に示す手術用装置１１の動作についてより詳細に説明する。図３１〜図３３は、下方ジョー５０の末端部に配置されたウェッジ２７０を示している。刃６５１は、旋回部材６５２によって、ウェッジ２７０に回転可能に取付されている。刃６５１は、初期段階では下方水平シャフト２６０に向いている引き込みまたは下向き位置に配置された切断縁６５１ａを有する。刃６５１はさらに尾部範囲６５４を有しており、この尾部範囲は、初期段階では手術用装置１１の基端部１７０に向いている面６５３を受容する作動ピンを具備している。この面６５３を受容する作動ピン６５３は作動ピン６５５に固定されており、作動ピン６５５は、例えば例証した実施形態によれば、下方ジョー５０に取付されている。
【００２２】
本発明の或る例証的な実施形態によれば、手術用装置１１は、電気機械式手術用システム５１０のような電気機械式手術用システムへのアタッチメントとして構成するか、あるいは該システムと一体に形成することができる。別の実施形態では、手術用装置は、図１に示したような純粋な機械装置ドライバシステムへのアタッチメントとして、または同システムと一体に形成することが可能である。
【００２３】
図２は、本発明による電気機械的手術用システム５１０の１つの例証的な実施形態の斜視図である。電気機械的手術用システム５１０は、例えば、前面パネル５１５を具備したハウジング５１４を設けた遠隔型パワーコンソール５１２を有することができる。前面パネル５１５上にはディスプレイ装置５１６と表示装置５１８ａ、５１８ｂが取付されており、これらについては以下に詳細に説明する。可撓性シャフト５２０がハウジング５１４から延び、第１結合部５２２を介して、ハウジング５１４に取り外し可能に固定される。可撓性シャフト５２０の末端部５２４は、例えば上述した手術用装置１１を可撓性シャフト５２０の末端部５２４に取り外し可能に固定するべく適合された第２結合部５２６を有することができる。しかし、第２結合部５２６は、別の手術用器具またはアタッチメントを取り外し可能に固定するためにも適合することができる旨を特筆する。別の実施形態では、可撓性シャフト５２０の末端部５２４を、手術用器具に永久的に固定するか、またはこれと一体に形成する。
【００２４】
図２１を参照すると、可撓性シャフト５２０の、一部分断面的な側面図を示している。或る実施形態によれば、可撓性シャフト５２０は管状の管状被覆（tubular sheath）５２８を有しており、この管状被覆は、その内部チャネル５４０と周囲環境の間に耐漏密封を提供するために、コーティングまたは他の密封配置を有する。管状被覆５２８は、組織適合性の、滅菌可能な弾性材料で形成することができる。さらに管状被覆５２８は、オートクレーバブルで形成することも可能である。第２回転可能ドライブシャフト５３０、第１回転可能ドライブシャフト５３２、第１ステアリングケーブル５３４、第２ステアリングケーブル５３５、第３ステアリングケーブル５３６、第４ステアリングケーブル５３７、データ転送ケーブル５３８が、可撓性シャフト５２０の内部チャネル５４０内に配置され、その全長に沿って延びている。図２２は、図２１に示す線２２−２２に沿った可撓性シャフト５２０の断面図であり、さらに、数本のケーブル５３０、５３２、５３４、５３５、５３６、５３７、５３８を示している。ステアリングケーブル５３４の各々の末端５３４、５３５、５３６、５３７は可撓性シャフト５２０の末端５２４に固定されている。数本のケーブル５３０、５３２、５３４、５３５、５３６、５３７、５３８の各々をそれぞれの管状被覆内に収容することができる。
【００２５】
第２回転可能ドライブシャフト５３０と第１回転可能ドライブシャフト５３２は、例えば、例えば網状またはらせん状のドライブケーブルのような可撓性の高いドライブシャフトとして構成することが可能である。このような可撓性の高いドライブケーブルのトルク伝達特徴および機能は限定されていることを理解すべきである。さらに、手術用装置１１（またはこれ以外の、可撓性シャフト５２０と接続したアタッチメント）は、ドライブシャフト５３０、５３２によって伝達可能なトルクよりも高いトルク入力を必要とする。そのため、ドライブシャフト５３０、５３２を、高速だが低いトルクを伝達するように構成することができ、また、手術用器具またはアタッチメント内、および／または遠隔型パワーコンソール５１２内で、例えばドライブ可撓性シャフト５２０の末端部および／または基端部に配置したギア装置によって、高速／低トルクが低速／高トルクに変換される。このようなギア装置（単数または複数）を、ハウジング５１４内に配設したモータと、取付されている手術用器具、または可撓性シャフト５２０に接続した他のアタッチメントとの間のパワートレインに沿った任意の適切な場所に設けられる旨を理解するべきである。このようなギア装置（単数または複数）には、例えば、加速ギア装置、プラネタリギア装置、調和ギア（harmonic gear）装置、サイクロイド歯車装置、エピサイクリック歯車装置等が含まれる。
【００２６】
次に図２３を参照すると、第１結合部５２２の背面端図を示している。第１結合部５２２は、第１コネクタ５４４、第２コネクタ５４８、第３コネクタ５２２、第４コネクタ５５６を有しており、これらの各々は第１結合部５２２に結合している。コネクタ５４４、５４８、５５２、５５６の各々は、それぞれ対応する凹部５４６、５５０、５５４、５５８を有する。図２３に示すように、各凹部５４６、５５０、５５４、５５８は六角形であってよい。しかし、凹部５４６、５５０、５５４、５５８は、コネクタ５４４、５４８、５５２、５５６を、ハウジング５１２内に収容されているモータ装置のそれぞれ対応するドライブシャフトと回転不能に結合および堅固に取付するあらゆる形状および構造であってよいことが理解されるべきできあり、これについては以下により完全に説明する。以降で説明しているように、補助突起をモータ装置の各ドライブシャフト上に設けることで、可撓性シャフト５２０のドライブ要素を駆動するようにすることができる旨が理解されるべきである。さらに、ドライブシャフト上に凹部を設け、コネクタ５４４、５４８、５５２、５５６上に補助突起を設けられることが理解されるべきである。これ以外にも、回転不能に、また、コネクタ５４４、５４８、５５２、５５６とモータ装置のドライブシャフトを解放可能に結合するよう構成されたあらゆる結合装置を提供することができる。
【００２７】
コネクタ５４４、５４８、５５２、５５６のうち１本が、第２ドライブシャフト５３０に回転不能に固定されており、別の１本が、第１ドライブシャフト５３２に回転不能に結合されている。コネクタ５４４、５４８、５５２、５５６の残りの２本は、ステアリングケーブル５３４、５３５、５３６、５３７に引張力を付加することで、可撓性シャフト５２０の末端部５２４を誘導するように構成された伝達要素と係合する。データ伝送ケーブル５３８は、データコネクタ５６０と電気的および論理的（logically）に結合している。データコネクタ５６０は例えば電機接触部５６２を有しており、この電気接触部５６２はデータケーブル５３８内に収容されている個々のワイヤに関連し、またその数が該ワイヤの本数と同数である。第１結合部５２２を、ハウジング５１２上に配置した合致および補助結合装置方位付けするために、第１結合部５２２には鍵構造（key structure）５４２が設けられている。このような鍵構造５４２は、ハウジング５１２上に配置した第１結合部５２２、合致および補助結合装置のいずれか一方または両方に設けることが可能である。第１結合部５２２は、例えば、第１結合部５２２をハウジング５１２と係合するために単純な押圧動作を使用する、クイック接続タイプのコネクタを含むことができる。第１結合部５２２の内部と周囲環境の間に耐液密封を形成するために、数本のコネクタ５４４、５４８、５５２、５５６、５６０のうち任意のものに関連して密封を設けることができる。
【００２８】
次に図２４を参照すると、可撓性シャフト５２０の第２結合部５２６の正面端面図が見られる。例証的な実施形態では、第２結合部５２６は第１コネクタ５６６、第２コネクタ５６８を有しており、これらの各々が、第２結合部５２６に回転可能に固定され、また、第１、第２ドライブシャフト５３２、５３０の対応する１つに末端部に回転不能に固定されている。クイック接続タイプの取付具５６４が第２結合部５２６上に配置されており、これにより装置１１を第２結合部５２６に取り外し可能に固定する。クイック接続タイプの取付具５６４は、例えば回転式クイック接続タイプの取付具、差し込みタイプの取付具等であってよい。装置１１を第２結合分５２６に対して正確に整列させるために、鍵構造５７４が第２結合部５２６上に設けられている。鍵構造、または、これ以外の装置１１を可撓性シャフト５２０に対して正確に整列させるための装置を、第２結合部５２６と装置１１のうちいずれか一方、または両方に設けることができる。さらに、クイック接続タイプの取付部は装置１１に設けることができる。第２結合部５２６内には、電気接触部５７２を具備したデータコネクタ５７０も設けられている。第１結合部５２２のデータコネクタ５６０と同様に、第２結合部５２６のデータコネクタ５７０は、データ伝送ケーブル５３８にそれぞれ対応したワイヤと電気的および論理的に接続した接触部５７２と、データコネクタ５６０の接触部５６２とを有する。コネクタ５６６、５６８、５７０に関連して密封を形成することで、第２結合部５２６と周囲環境の間に耐液密封を設けることができる。
【００２９】
遠隔型パワーコンソール５１２のハウジング５１４内部には電気機械式ドライバ要素が内設されており、この電気機械式ドライバ要素はドライブシャフト５３０、５３２、ステアリングケーブル５３４、５３５、５３６、５３７を駆動することで、電気機械式手術用システム５１０と、第２結合部５２６に取付された直線状クランピング、切断、吻合を行う装置１１とを動作するように構成されている。図２５に概略的に示す例証的な実施形態では、各々が電源によって作動される５個の電気モータ５７６、５８０、５８４、５９０、５９６を遠隔型パワーコンソール５１２内部に配置することができる。しかしながら、配置するモータの適切な個数は任意であってよく、モータを電池電源、ライン電流、直流電源、電子制御式直流電源等で動作することが可能である旨が理解されるべきである。またさらに、モータを直流電源に接続し、これをライン電流と接続して、モータに動作電流を供給できることも理解されるべきである。
【００３０】
図２５は、１つの使用可能なモータの配置を概略的に示している。第１モータ５７６の出力シャフト５７８が第１結合部５２２の第１コネクタ５４４と係合し、これにより、可撓性シャフト５２０がハウジング５１４と係合することで、第２ドライブシャフト５３０と、第２結合部５２６の第１コネクタ５６６とを駆動する。したがって同様に、第１結合部５２２、および可撓性シャフト５２０がハウジング５１４と係合すると、第２モータ５８０の出力シャフト５８２が第１結合部５２２の第２コネクタ５４８と係合し、これにより、第１ドライブシャフト５３２と、第２結合部５２６の第２コネクタ５６８が駆動される。したがって第１結合部５２２および可撓性シャフト５２０がハウジング５１４と係合すると、第３モータ５８４の出力シャフト５８６が第１結合部５２２の第３コネクタ５５２と係合し、これにより、第１ステアリングケーブル５３４、第２ステアリングケーブル５３５が第１滑車装置５８８を介して駆動される。第１結合部５２２、および、したがって可撓性シャフト５２０がハウジング５１４と係合すると、第４モータ５９０の出力シャフト５９２が第１結合部５２２の第４コネクタ５５６と係合し、これにより、第３ステアリングケーブル５３６、第４ステアリングケーブル５３７が第２滑車配置５９４を介して駆動される。可撓性シャフト５２０を必要に応じて緊張、操作可能、緩和させるために、第３モータ５８４、第４モータ５９０を対応する滑車配置５８８、５９４と選択的に係合および解除するべく、第３モータ５８４、第４モータ５９０を、第５モータ５９６の出力シャフト５９８を介して、第１位置と第２位置の間で選択的に移動可動なキャリッジ１１００上に固定することができる。これ以外の機械的、電気的、または電気機械的な機構を使用して、ステアリング機構を選択的に係合および解除できることが理解されるべきである。モータを、全体的な説明をしているかのように本願明細書中で参照により援用している、例えば米国特許第明細書出願番号０９／５１０，９２３号の「A Carriage Assembly for Controlling a Steering Wire Mechanism Within a Flexible Shaft」（「可撓性シャフト内のステアリングワイヤ機構を制御するためのキャリッジアセンブリ」）で説明されている通りに配置および構成することができる。
【００３１】
モータ５７６、５８０、５８４、５９０、５９６のうち任意の１つまたはそれ以上を高速／低トルク・モータ、または低速／高トルク・モータにできる旨を理解すべきである。上述したように、第２回転可能ドライブシャフト５３０、第１回転可能ドライブシャフト５３２を、高速度および低トルクを伝送するように構成することができる。そのため、第１モータ５７６と第２モータ５８０を、高速／低トルクモータに構成することができる。あるいは、第１モータ５７６と第２モータ５８０を、第１モータ５７６と第２モータ５８０の間に配置したトルク低減／速度増加ギア装置と、第２回転可能ドライブシャフト５３０および第１回転可能ドライブシャフト５３２の各々の１つとを具備した低速／高トルクモータとして構成されている。このようなトルク低減／速度増加ギア配置は、例えば加速ギア装置、プラネタリギア装置、調和ギア装置、サイクロイド歯車装置、エピサイクリック歯車装置等を含むことができる。このような任意のギア装置を、遠隔パワーコンソール５１２または可撓性シャフト５２０の基端部内、例えば第１結合部５２２内に配置できることを理解すべきである。第２回転可能ドライブシャフト５３０および／または第１回転可能ドライブシャフト５３２の末端部および／または基端部には、ギア装置（単数または複数）を設けることで、その巻き上げおよび破損を防止する。
【００３２】
次に図２６を参照すると、例証的な電気機械式手術用システム５１０の概略図を示している。遠隔パワーコンソール５１２のハウジング５１４内に制御装置１１２２が設けられており、該制御装置１１２２は、電気機械式手術用システム５１０、および可撓性シャフト５２０に取付した直線状クランピング、切断、吻合を行う装置１１の全ての機能を制御するように構成されている。メモリユニット１１３０が設けられており、メモリ装置、例えばＲＯＭコンポーネント１１３２および／またはＲＡＭコンポーネント１１３４を含むことができる。ＲＯＭコンポーネント１１３２は、電線１１３６を介して、制御装置１１２２と電気的および論理的に通信し、ＲＡＭコンポーネント１１３４は、電線１１３８を介して、制御装置１１２２と電気的および論理的に通信している。ＲＡＭコンポーネント１１３４は、任意タイプのランダム・アクセス・メモリ、例えば磁気メモリ装置、光学メモリ装置、光磁気メモリ装置、電子メモリ装置等を実装することができる。同様に、ＲＯＭコンポーネント１１３２も、任意タイプの読み取り専用メモリ、例えば、ＰＣカードまたはＰＣＭＣＩＡ装置のような取り外し可能なメモリ装置を実装することができる。ＲＯＭコンポーネント１１３２およびＲＡＭコンポーネント１１３４は、単一ユニットとして、または別個のユニットとして実現することができ、また、ＲＯＭコンポーネント１１３２および／またはＲＡＭコンポーネント１１３４は、ＰＣカードまたはＰＣＭＣＩＡタイプの装置の形態で提供できる旨を理解すべきである。
【００３３】
制御装置１１２２はさらに、電線１１５４を介して、ハウジング５１４の前面パネル５１５、より詳細にはディスプレイ装置５１６と接続しており、また、各電線１１５６、１１５８を介して、インジケータ５１８ａ、５１８ｂと接続している。電線１１１６、１１１８、１１２４、１１２６、１１２８は、制御装置１１２２を、第１モータ５６７、第２モータ５８０、第３モータ５８４、第４モータ５９０、第５モータ５９６の各々と電気的および論理的に接続する。有線遠隔制御ユニット（「ＲＣＵ」）１１５０は、電線１１５２を介して、制御装置１１２２と電気的および論理的に接続している。さらに、無線ＲＣＵ１１４８を設けており、また、無線リンク１１６０を介して、電線１１４４でトランシーバ１１４０と接続している受信／送信ユニット１１４６と通信する。トランシーバ１１４０は、電線１１４２を介して、制御装置１１２２と電気的および論理的に接続している。無線リンク１１６０は、例えば、赤外線リンク、無線リンク、またはこれ以外の任意形態の無線通信リンクのような光学リンクであってよい。
【００３４】
スイッチ装置１１８６は、例えば一列のＤＩＰスイッチであってよく、電線１１８８を介して制御装置１１２２と接続している。スイッチ装置１１８６は、例えば、メッセージおよびプロンプトをディスプレイ装置５１６上に表示するために用いる複数の言語のうちの１の言語を選択するために使用できる。メッセージおよびプロンプトは、例えば、電気機械式手術用システム５１０、および／またはこれに取付した手術用装置１１の動作および／または状態に関連することができる。
【００３５】
本発明の例証的実施形態によれば、第１エンコーダ１１０６が第２結合部５２６内に設けられており、第２ドライブシャフト５３０の回転に応じて、および回転に従って信号を出力するように構成されている。さらに、第２エンコーダ１１０８も第２結合部５２６内に設けられ、第１ドライブシャフト５３２に応じて、および回転に従って信号を出力するように構成されている。エンコーダ１１０６、１１０８の各々からの信号出力は、各々のドライブシャフト５３０、５３２の回転位置と、その回転方向を表すことができる。このようなエンコーダ１１０６、１１０８は、例えばホール効果装置、光学装置等であってよい。エンコーダ１１０６、１１０８は、第２結合部５２６内に配置されているが、エンコーダ１１０６、１１０８は、モータシステムと直線状クランピング、切断装置と、吻合を行う装置の間の任意の場所に設けられることが理解されるべきである。エンコーダ１１０６、１１０８を第２結合部５２６内、または可撓性シャフト５２０の末端部に設けることで、ドライブシャフトの回転を正確に判断することが可能になる旨が理解されるべきである。エンコーダ１１０６、１１０８を可撓性シャフト５２０の基端部に配置した場合には、第１、第２回転可能ドライブシャフト５３２、５３０の巻き上げにより、測定エラーが生じる可能性がある。
【００３６】
図２７は、ホール効果装置を有したエンコーダ１１０６、１１０８の概略図である。ドライブシャフト５３０、５３２上には、Ｎ極１２４２とＳ極１２４４を具備した磁石１２４０が回転不能に取付されている。エンコーダ１１０６、１１０８はさらに、第１センサ１２４６、第２センサ１２４８を有しており、これらのセンサは、ドライブシャフト５３０、５３２の縦軸または回転軸に対して約９０°の角度で離間して配置されている。センサ１２４６、１２４８の出力は継続的であり、センサの検出範囲内における複数の磁場の極性の変化の関数として状態を変更する。これにより、エンコーダ１１０６、１１０８からの出力信号に基づいて、１／４回転内でのドライブシャフト５３０、５３２の角度位置を判断でき、また、ドライブシャフト５３０、５３２の回転方向を判断することができる。各円コーダ１１０６、１１０８の出力は、データ伝送ケーブル５３８の各電線１１１０、１１１２を介して、制御装置１１２２へ送信することができる。そのため、制御装置１１２２は、エンコーダ１１０６、１１０８からの出力信号に基づいて、ドライブシャフト５３０、５３２の角度位置および回転方向を追跡することにより、電気機械手術用システム５１０と接続している直線状クランピング、切断および吻合を行う装置のコンポーネントの位置および／または状態を判断することができる。つまり、ドライブシャフト５３０、５３２の回転数を数えることで、制御装置１１２２は、電気機械式手術用システム５１０に取付している直線状クランピング、切断、吻合を行う装置のコンポーネントの位置および／または状態を判断することができる。
【００３７】
例えば、上方ジョー８０の下方ジョー５０に対する前進距離、およびウェッジ２７０の前進距離は、各ドライブシャフト５３０、５３２の回転の関数であり、また、この回転に基づいて確認することが可能である。ある時点でのジョー８０とウェッジ２７０の絶対位置を確認することで、エンコーダ１１０６、１１０８からの出力信号、既知の垂直ドライブシャフト１１３２および下方水平シャフト２６０の傾斜に基づき、ジョー８０とウェッジ２７０の相対変位を使用し、これにより、その後常に、ジョー８０とウェッジ２７０の絶対位置を確認することができるようになる。手術用装置１１を可撓性シャフト５２０に最初に結合した際に、ジョー８０とウェッジ２７０の絶対位置を固定し確認することができる。あるいは、例えば下方ジョー５０に対するジョー８０とウェッジ２７０の位置を、エンコーダ１１０６、１１０８からの出力信号に基づいて判断することができる。
【００３８】
手術用装置１１はさらに、或る実施形態によれば、また、図５に示すように、データコネクタ１２７２は、第２結合部５２６のコネクタ５７０と電気的および論理的に接続する寸法および構成を設けている。例証的な実施形態では、データコネクタ１２７２は、コネクタ５７０の電線５７２の本数と等しい個数の接触部を有する。手術用装置１１内には、データコネクタ１２７２と電気的および論理的に接続したメモリユニット１１７４が実装されている。メモリユニット１１７４は、例えばＥＥＰＲＯＭ、ＥＰＲＯＭ等の形態であってよく、また、例えば手術用装置１１の下方ジョー５０内に収容することができる。
【００３９】
図２８は、メモリユニット１１７４を概略的に示している。図２８では、データコネクタ１２７２は、各々の電線１２７８を介してメモリユニット１１７４と電気的および論理的に接続した複数の接触部１２７６を有する。メモリユニット１１７４は、例えばシリアル番号データ１１８０、アタッチメントのタイプ識別（ＩＤ）データ１１８２、使用データ１１８４を記憶するように構成されている。メモリユニット１１７４は、これ以外のデータを追加的に記憶することができる。シリアル番号データ１１８０とＩＤデータ１１８２の両方を、読み取り専用データとして構成することができる。例証的な実施形態では、シリアル番号データ１１８０は、特定の直線状クランピング、切断、吻合を行う装置を一意に識別するデータであり、その一方で、ＩＤデータ１１８２は、（例えば、装置に他のアタッチメントを採用している場合には）アタッチメントのタイプを識別するデータである。使用データ１１８４は、特定のアタッチメントの使用、例えば、手術用装置１１の上方ジョー８０を開閉したの回数、または、手術用装置１１のウェッジ２７０が前進または発射された回数を表す。
【００４０】
可撓性シャフト５２０の末端部５２４に取付可能なアタッチメント、例えば手術用装置１１は、一回または複数回使用可能に設計および構成することができる。さらに、アタッチメントを所定の回数だけ使用できるように設計および構成することもできる。したがって、使用データ１１８４を使用して、手術用装置１１が使用されたか否か、また、使用回数が許容されている最大使用回数を超えたか否かを決定することができる。以下に詳細に説明するように、許容されている最大使用回数に達した後にも使用を試みると、ＥＲＲＯＲ条件が生成される。
【００４１】
再び図２６を参照すると、本発明の例証的な実施形態により、最初に手術用装置１１を可撓性シャフト５２０に接続した場合、制御装置１１２２は、手術用装置１１のメモリユニット１１７４からＩＤデータ１１８２を読み取るように構成されている。メモリユニット１１７４は、データ伝送ケーブル５３８の電線１１２０を介して、制御装置１１２２と電気的および論理的に接続している。読み取ったＩＤデータ１１８２に基づいて、制御装置１１２２は、可撓性シャフト５２０と接続している手術用器具またはアタッチメントのタイプに関連したオペレーティング・プログラムまたはアルゴリズムを、メモリユニット１１３０から読み出すまたは選択するように構成されている。メモリユニット１１３０は、手術用器具またはアタッチメントの使用可能なタイプの各々について、オペレーティング・プログラムまたはアルゴリズムを記憶する様に構成されており、制御装置１１２２は、取付した手術用器具またはアタッチメントのメモリユニットから読み取ったＩＤデータ１１８２に従って、メモリユニット１１３０からの、オペレーティング・プログラムまたはアルゴリズムの選択および／または読み取りを実施する。上述したように、メモリユニット１１３０は、取り外し可能なＲＯＭコンポーネント１１３２、および／またはＲＡＭコンポーネント１１３４を実装することができる。これにより、メモリユニット１１３０内に記憶したオペレーティング・プログラムまたはアルゴリズムを、必要に応じて、更新、追加、削除、向上、あるいは修正することが可能である。メモリユニット１１３０内に記憶したオペレーティング・プログラムまたはアルゴリズムを、例えばユーザの特定の必要性に基づいて、カストマイズすることができる。データ入力装置、例えばキーボード、マウス、ポインティング装置、タッチ画面等を、例えばデータコネクタ・ポートを介してメモリユニット１１３０と接続し、オペレーティング・プログラムまたはアルゴリズムのカストマイズを容易化することができる。あるいは、またはこれに加えて、オペレーティング・プログラムまたはアルゴリズムを、電気機械式手術用システム５１０から離れた場所にあるメモリ装置１１３０内にカストマイズおよび事前にプログラムすることが可能である。シリアル番号データ１１８０および／または使用データ１１８４も、複数のオペレーティング・プログラムまたはアルゴリズムのうちのいずれを、メモリユニット１１３０から読み出しまたは選択したかを判断するために使用できる旨が理解されるべきである。さらに、オペレーティング・プログラムまたはアルゴリズムを、手術用装置１１のメモリユニット１１７４内に記憶し、データ伝送ケーブル５３８を介して制御装置１１２２へ伝送できることが理解されるべきである。適切なオペレーティング・プログラムまたはアルゴリズムの読み取りまたは選択が、制御装置１１２２によって実行されると、または制御装置１１２２へ送信されると、制御装置１１２２が、無線ＲＣＵ１１５０（以降に記載）および／または無線ＲＣＵ１１４８（以降に記載）を介してユーザが実行したオペレーションに従って、オペレーティング・プログラムまたはアルゴリズムを実行する。上述したように、制御装置１１２２は、各々対応する電線１１１６、１１１８、１１２４、１１２６、１１２８を介して、第１モータ５７６、第２モータ５８０、第３モータ５８４、第４モータ５９０、第５モータ５９６と電気的および論理的に接続しており、また、各々対応する電線１１１６、１１１８、１１２４、１１２６、１１２８を介して、モータ５７６、５８０、５８４、５９０、５９６を、読み取った、選択した、または送信されたオペレーティング・プログラムまたはアルゴリズムに従って制御する。
【００４２】
次に図２９を参照すると、無線ＲＣＵ１１４８の概略図を見ることができる。無線ＲＣＵ１１４８は、フォーウェイ・ロッカー（four-way rocker）１３１０の下に配置された複数のスイッチ１３０２、１３０４、１３０６、１３０８を具備するステアリング・コントローラ１３００を有する。ロッカー１３１０を介した、スイッチ１３０２、１３０４の動作により、第１ステアリング・ケーブル５３４、第２ステアリング・ケーブル５３５の動作が、第３モータ５８４を介して制御される。同様に、ロッカー１３１０を介した、スイッチ１３０６、１３０８の動作により、第３ステアリング・ケーブル５３６、第４ステアリング・ケーブル５３７の動作が、第４モータ５９２を介して制御される。ロッカー１３１０、スイッチ１３０２、１３０４、１３０６、１３０８は、スイッチ１３０２、１３０４の動作によって可撓性シャフト５２０が北南方向へ誘導されるように、また、スイッチ１３０６、１３０８の動作によって可撓性シャフト５２０が東西方向へ誘導されるように配置されている。ここでは北、南、東、西を、相対座標システムに参照している。あるいは、ロッカー１３１０、スイッチ１３０２、１３０４、１３０６、１３０８の代わりに、デジタル・ジョイスティック、アナログ・ジョイスティック等を設けることができる。さらに、スイッチ１３０２、１３０４、１３０６、１３０８の代わりに、電位差計、または他の任意タイプの作動装置を使用することも可能である。
【００４３】
無線ＲＣＵ１１４８はさらに、ステアリング係合／解除スイッチ１３１２を設けており、その動作によって、第５モータ５９６の動作が、ステアリング機構と選択的に係合および解除するように制御される。無線ＲＣＵ１１４８はさらに、ツーウェイ・ロッカー１３１４は、これにより動作可能な第１スイッチ１３１６、第２スイッチ１３１８を具備している。これらのスイッチ１３１６、１３１８の動作により、電気機械式手術用システム５１０、可撓性シャフト５２０に取付している任意の手術用器具またはアタッチメント、例えば手術用装置１１の特定の機能が、取付した装置１１に関連するオペレーティング・プログラムまたはアルゴリズムに従って制御される。例えば、ツーウェイ・ロッカー１３１４の動作により、手術用装置１１の上方ジョーおよび下方ジョーの開閉を制御することができる。無線ＲＣＵ１１４８にはさらに別のスイッチ１３２０が設けられており、その動作によって、さらに、電気機械式手術用システム５１０と、可撓性シャフト５２０に取付した装置の動作を、取付した装置に関連したオペレーティング・プログラムまたはアルゴリズムに従って制御することができる。例えば、スイッチ１３２０の動作により、手術用装置１１のウェッジ２７０の前進、または発射の連続を開始することができる。
【００４４】
無線ＲＣＵ１１４８は制御装置１３２２を具備しており、この制御装置１３２２は、電線１３２４を介して、スイッチ１３０２、１３０４、１３０６、１３０８と、また、電線１３２６を介してスイッチ１３１６、１３１８と、電線１３２８を介してスイッチ１３１２と、さらに、電線１３３０を介してスイッチ１３２０と電気的および論理的に接続している。無線ＲＣＵ１１４８は、前面パネル５１５のインジケータ５１８ａ、５１８ｂと関連したインジケータ５１８ａ’、５１８ｂ’と、前面パネル５１５のディスプレイ装置５１６と関連したディスプレイ装置５１６’とを有することができる。インジケータ５１８ａ’、５１８ｂ’は、各々対応する電線１３３２、１３３４を介して、制御装置１３２２と電気的および論理的に接続しており、また、ディスプレイ装置５１６’は、電線１３３６を介して、制御装置１３２２と電気的および論理的に接続している。制御装置１３２２は、電線１３４０を介して、トランシーバ１３３８と電気的および論理的に接続しており、また、トランシーバ１３３８は、電線１３４４を介して受信機／送信機１３４２と接続している。図示していないが、電源、例えば電池を無線ＲＣＵ１１４８内に設け、これに電力供給するようにすることができる。そのため、無線ＲＣＵ１１４８を、電気機械式手術用システム５１０、および可撓性シャフト５２０に取付した装置１１を、無線リンク１１６０を介して制御するために使用することができる。
【００４５】
無線ＲＣＵ１１４８は、電線１３４８を介して制御装置１３２２と接続したスイッチ１３４６を設けることができる。スイッチ１３４６の動作により、無線リンク１１６０を介して、データ信号が送信機／受信機１１４６へ送信される。データ信号は、無線ＲＣＵ１１４８を一意に識別する識別データを含む。制御装置１１２２は、この識別データを使用して、電気機械式手術用システム５１０の無認可動作を防止し、また、別の無線ＲＣＵによる電気機械式手術用システム５１０の動作との干渉を防止する。無線ＲＣＵ１１４８と電気機械式手術用装置５１０の間における、後続する通信の各々は識別データが含まれている。そのため、制御装置１１２２は複数の無線ＲＣＵ間を区別して、単一で、識別可能な無線ＲＣＵ１１４８に、電気機械式手術用システム５１０、および可撓性シャフト５２０に取付した装置１１の動作を制御させることができるようになる。
【００４６】
エンコーダ１１０６、１１０８からの出力信号に従って決定した、可撓性シャフト５２０に取付されている装置のコンポーネントの位置に基づいて、制御装置１１２２は、電気機械式手術用システム５１０の機能を、取付された装置に関連するオペレーティング・プログラムまたはアルゴリズムによって定義されている通りに、選択的に可能または不能にすることができる。たとえば、手術用装置１１について、下方ジョー５０と上方ジョー８０の間の空間または空隙が許容範囲内にあると判断されない限り、スイッチ１３２０の動作によって制御された発射機能が不能にされる。上述にてより詳細に説明したように、下方ジョー５０と上方ジョー８０の間の空間または空隙は、エンコーダ１１０６、１１０８からの出力信号に基づいて判断される。例証的な実施形態では、スイッチ１３２０自体は動作可能のままであるが、空間または空隙が許容範囲内にあると判断されない限り、制御装置１１２２が関連する機能に影響することはない。
【００４７】
次に、図３０を参照すると、無線ＲＣＵ１１５０の概略図を示している。例証的な実施形態では、有線ＲＣＵ１１５０は、無線ＲＣＵ１１４８と実質的に同一の制御要素を有するため、このような要素のさらなる説明は省略する。図３０中では、同様の要素には、符号にダッシュを付して示している。電気機械式手術用システム５１０、および可撓性シャフト５２０に取付した装置（例えば、手術用装置１１）の機能を、有線ＲＣＵ１１５０および／または無線ＲＣＵ１１４８によって制御できる旨が理解されるべきである。例えば、電池に欠陥が生じた場合には、無線ＲＣＵ１１４８、有線ＲＣＵ１１５０を使用して、電気機械式手術用システム５１０、および可撓性シャフト５２０に取付した装置の機能を制御することができる。
【００４８】
上述したように、ハウジング５１４の前面パネル５１５は、ディスプレイ装置５１６、インジケータ５１８ａ、５１８ｂを有する。ディスプレイ装置５１６は、英数字ディスプレイ装置、例えばＬＣＤディスプレイ装置を有することができる。ディスプレイ装置５１６はさらに、スピーカー、ブザー等の音声出力装置を具備することができる。ディスプレイ装置５１６は、制御装置１１２２によって、可撓性シャフト５２０に取付した装置（例えば手術用装置１１）に関連したオペレーティング・プログラムまたはアルゴリズムに従って動作および制御される。手術用器具またはアタッチメントがこのように取付されていない場合には、初期設定のオペレーティング・プログラムまたはアルゴリズムを読み取る、または制御装置１１２２によって選択する、あるいは制御装置１１２２へ送信することで、ディスプレイ装置５１６の動作と、これ以外の電気機械式手術用システム５１０の態様および機能とを制御することができる。手術用装置１１を可撓性シャフト５２０に取付している場合には、上述においてより詳細に説明しているように、ディスプレイ装置５１６は、例えば、エンコーダ１１０６、１１０８の出力信号に従って決定した、下方ジョー５０と上方ジョー８０の間の空隙を表すデータを表示することができる。
【００４９】
同様に、インジケータ５１８ａ、５１８ｂを、制御装置１１２２により、可撓性シャフト５２０に取付した装置１１（例えば、手術用装置１１）に関連したオペレーティング・プログラムまたはアルゴリズムに従って、動作および制御することができる。インジケータ５１８ａおよび／またはインジケータ５１８ｂは、スピーカー、ブザー等の音声出力装置を、および／または、例えばＬＥＤ、ランプ、ライト等の視覚的インジケータ装置を具備することができる。上述においてより詳細に説明したように、可撓性シャフト５２０に手術用装置１１を取付している場合には、インジケータ５１８ａが、例えば、電気機械式手術システム５１０が電源オンの状態にあることを示すことができ、また、インジケータ５１８ｂが、例えば下方ジョー５０と上方ジョー８０の間の空隙が許容範囲内にあると判断されたか否かを示すことができる。２個のインジケータ５１８ａ、５１８ｂのみについて説明したが、必要に応じて任意数のインジケータを追加できることが理解されるべきである。さらに、１個のディスプレイ装置５１６について説明したが、必要に応じて任意数のディスプレイ装置を追加できることが理解されるべきである。
【００５０】
有線ＲＣＵ１１５０のディスプレイ装置５１６’、インジケータ５１８ａ’、５１８ｂ’と、無線ＲＣＵ１１４８のディスプレイ装置５１６”、インジケータ５１８ａ”、５１８ｂ”とは、各々の制御装置１３２２、１３２２’により、可撓性シャフト５２０に取付された装置のオペレーティング・プログラムまたはアルゴリズムに従って、同様に動作および制御される。
【００５１】
先述したように、手術用装置１１は、組織をクランピング、切断、吻合するために採用することができる。次に、手術用装置１１の動作を、患者の腸内組織の癌性部位または異常部位の除去に関連して説明するが、当然ながら、これは単に１つのタイプの組織、および、手術用装置１１を使用して実行できる１つのタイプの手術にしか過ぎない。一般に、手術中において、胃腸管内に癌性または異常組織が発見されると、まず患者の腹部を開腹して、腸を露出させる。電気機械式手術用システム５１０が装備している遠隔作動を使用して、手術用装置１１の上ジョー５０と下ジョー８０が開放位置に駆動される。次に、腸管を、分離させた両ジョー間の癌性組織付近の側部上に配置する。再び、遠隔作動により、第２ドライバを閉鎖して逆に係合させることで、上方ジョーが腸および下方ジョーの上に閉じる。腸を十分にクランピングすると、第１ドライバが係合され、これにより、同時に、ウェッジがアタッチメントの末端部からその基端部にまで前進して、腸を切断および吻合する。次に、この段階が、癌性組織の他方側についても繰り返され、それにより、腸の癌性組織を含有した部分が除去され、また、開腹した腹部に腸物質がこぼれ落ちないように、その両側が吻合される。
【００５２】
より詳細には、本発明の例証的な実施形態によれば、手術用装置１１はアタッチメントソケット、または電気機械式駆動コンポーネント５１０の結合部２６と結合しているため、上方ドライブソケット１８０が、電気機械式ドライバコンポーネント５１０のドライブシャフト５３０と係合でき、また、第２ドライブソケット３１０が、電気機械式ドライバコンポーネント５１０のドライバシャフト５３２と係合できる。そのため、電気機械式ドライバコンポーネント５１０の関連する可撓性ドライブシャフト５３０の回転によって影響された上方ドライブソケット１８０の回転が、上方水平シャフト１５１の回転に影響を及ぼす。モータ５８０の方向によって、右回りまたは左回りの回転が達成される。同様に、電気機械式ドライバコンポーネント５１０の関連する可撓性ドライブシャフト５３２の回転によって影響された第２ドライブソケット３１０の回転が、下方水平シャフト２６０の回転に影響を及ぼす。ここでも、モータ５７６の方向によって、右回りまたは左回りの回転が達成される。
【００５３】
腸の露出した端部をクランピングするために、上方可撓性ドライブシャフト５３０に関連した上方モータ５８０が起動され、上方水平シャフト１５１の基端部１７０において上方ドライブソケット１８０と係合し、これにより、上方水平シャフト１５１が、第１（例えば右回り）回転方向に回転される。手術用装置１１が、図５に示すように、初期の閉鎖状態にある場合には、この上方水平シャフト１５１が第１回転を行うことで、上方水平シャフト１５１の外部ねじ切り部１５２が、垂直シャフト１３０の外部ねじ切り部と係合し、これにより、垂直シャフト１３０が類似した第１（例えば右回り）回転を行う。この垂直シャフト１３０の回転によって、垂直シャフト１３０の外部ねじ切り部１３２が、垂直内径９０の内部ねじ切り部９２内で送られることで、これにより、上方ジョー８０が連続した方法で（例証した実施形態では、固定した下方ジョー５０との平行整列において）上昇し、下方ジョー５０から分離を開始する。モータをこの方法で連続動作することで、最終的に、手術用装置１１が開放状態となり、図６に示すように、上方ジョー８０と下方ジョー５０の間に空隙が設けられる。
【００５４】
手術用装置１１がこの開放状態をとると、留め具２３０のトレー２２０に到達できるようになり、および、留め具２３０が手順を開始する準備ができているか、および／または、トレー２２０をより適切なトレー２２０と交換すべきであるかを判断するための検査が行われる。さらに、上述したように、手術用装置１１の状態は、制御システム１１２２によって決定される。トレー２２０が準備完了状態にあり、適所にあると判断されると、結腸の一部分が上方ジョー８０と下方ジョー５０の間に配置される。その後、上方モータ５８０が逆転されて、上方水平シャフト１５１の第２（例えば左回り）回転が実施され、これにより、水平シャフト１３０の左回り回転が実施され、その結果、上方ジョー８０が下降される。上方モータ５８０をこの方法で連続動作することで、最終的には、直線クランプと吻合装置は閉鎖状態に戻り、腸の末端部は上方ジョー８０と下方ジョー４０との間でクランプされる。
【００５５】
腸の末端部のクランピングは、上述したように、出力センサ１２４６、１２４８、または出力電極１８２、１８４に従って判断される。電気機械式手術システム５１０内に回路要素を設けて、切断および吻合手順を開始するのに安全および／または適切である旨を信号に知らせることができる。吻合および切断手順を開始するために、下方水平シャフト２６０の基端部３００において下方ドライブソケット３１０と係合する、下方可撓性ドライブシャフト５３２に関連した電気機械式ドライバコンポーネントの下方モータ５７６が作動され、これにより、下方水平シャフト２６０が第１（例えば左回り）に回転する。吻合および切断機構が初期の負荷をかけた状態にある場合には、ウェッジ２７０とこれに関連した刃５１が、下方水平シャフト２６０の基端部３００から最も離れた位置（つまり末端部）にて、チャネル２５０内部に収容されている。下方水平シャフト２６０が左回りに回転することで、下方水平シャフト２６０の外部ねじ切り部２６２が、ウェッジ２７０の水平ねじ切りを施した内径２９０の内部ねじ切り部２９２と係合することで、ウェッジ２７０がチャネル２５０にかけて、下方水平シャフト２６０の基端部３００に向かう方向に移動する。下方モータ５７６をこの方法で連続動作させることで、チャネル２５０内でウェッジ２７０を最後まで移動することができる。ウェッジ２７０がチャネルの基端部に向けて移動すると、ウェッジの上部に取付した刃５１が腸を切り、横に切開する。これと同時に、ウェッジ２７０の傾斜した上面２８０が留め具２３０の太い端部２３２と接触することで、留め具２３０のプロング２３４が、腸のクランピングされた末端部の組織を通過し、吻合案内部２４０に対して押圧し、これにより留め具２３０を屈曲および閉鎖させる。ウェッジ２７０がチャネル２５０へとほぼ完全に移動されると、全ての留め具２３０がトレー２２０から押し出されて閉鎖することで、両切断側部上で腸の末端部が吻合されて閉鎖する。
【００５６】
その後、上方水平シャフト１５１の左回り回転を実施するべく、上方モータ５８０が再び作動され、これにより、垂直シャフト１３０が左回りに回転して、上方ジョー８０が上昇する。上方モータ５８０をこの方法で連続動作することで、最終的に、手術用装置１１が開放状態に戻る。その後、空になったトレー２２０が充填されたトレー２２０と交換され、同一のクランピング、切断、吻合手順が腸の基端部に対しても実施される。クランピング、切断、吻合手順の前に、刃５１とウェッジ２７０が下方モータ５７６の動作によって末端部へと戻される。これを実施するために、下方モータ５７６を逆行させて、下方水平シャフトを左回りに回転させることで、ウェッジ２７０を下方水平シャフト２６０の基端部３００から離れて移動する。下方モータ５７６をこの方法で連続動作することで、最終的に、ウェッジ２７０が、機構の末端部における初期位置へ戻る。さらに腸の基端部がクランピング、切断、吻合されると、アタッチメント（すなわち、手術用装置１１）を電気機械式ドライバコンポーネントから取り外し、アタッチメントを破棄することができる。
【００５７】
先述したように、図３１〜図３３は、別の例証的な実施形態を示しており、この場合、手術用装置１１は、第１位置と第２位置の間で回転できるように、ウェッジ６７０と回転可能に結合した刃６５１を有する。この別の、手術用装置１１の例証的実施形態を動作するために実行される段階は、図５、図６に記載した手術用装置１１の例証的実施形態を動作するべく実施するための、上述した段階と実質的に類似している。次に、図３１〜図３３に示した別の例証的実施形態による手術用装置１１のこれらの追加的な特徴について説明する。図３１を参照すると、また、前述したように、ウェッジ２７０が、クランピング動作の実施後、および切断および吻合動作の開始前において、下方ジョー５０の末端部に位置した状態で図示されている。刃６５１は、旋回部材６５２によって、ウェッジ２７０に回転可能に取付されている。初期段階において、刃６５１の切断縁６５１ａは引き込んだ位置、または下方に向いた位置、例えば下方水平シャフト２６０に向いた状態に配置されている。刃６５１の後尾範囲６５４はウェッジ２７０の上に配置されているため、作動ピン受容面６５３が最初に手術用装置１１の基端部１７０に向き、下方ジョー５０の固定された作動ピン６５５と近接する。
【００５８】
図３２は、水平シャフト２６０を回転し、下方ジョー５０の末端部から下方ジョー５０の基端部へとウェッジ２７０の移動を開始するべく、切断および吻合動作を開始した状態の手術用装置１１を示している。図３２に示すように、刃６５１の後尾範囲６５４に位置する作動ピン受容面６５３が固定された作動ピン６５５と係合すると、刃６５１が、旋回部材６５２周囲で、ウェッジ２７０に対して回転する。旋回部材６５２の周囲で、ウェッジ２７０に対して回転することで、刃６５１の切断縁６５１ａが、下方水平シャフト２６０に向いたその初期位置から変位され、上方への揺動を開始する。
【００５９】
図３３は、例えば、ウェッジ２７０を下方ジョー５０の末端部から下方ジョー５０の基端部へ向かって移動し続けるべく、水平シャフト２６０をさらに回転することで、切断および吻合動作をさらに継続した状態にある手術用装置１１を示している。図３３に示すように、刃６５１の後尾範囲６５４において作動ピン受容面６５３が固定された作動ピン６５５との係合を完了するべく、ウェッジ２７０が、下方ジョー５０の基端部へと十分に遠くまで移動している。この時点で、刃６５１が、旋回部材６５２周囲で、ウェッジ２７０に対して回転することで、刃６５１の切断縁６５１ａが下方ジョー５０の基端部に向いている。
【００６０】
前述したように、従来の切断および吻合装置の１つの欠点は、機構の対向するジョーが術中に開放しがちである、または、強制的に離間してしまう傾向にあるというものである。これは、傾斜面２８０が、吻合トレー２２０内で留め具２３０の太い端部２３２と接触し、留め具２３０のプロング２３４を対向する吻合案内部２４０内へ強制的に押入した際に、ウェッジ２７０の傾斜した上面２８０によって発せられた力が上方に向かう要素を有するために生じる。プロング２３４が案内部２４０と接触すると、接触力が、上方ジョーと下方ジョーを、留め具のプロング２３４が案内部２４０によって閉鎖位置へと屈曲するまで、分離、または強制的に離間させようとする。上方ジョーと下方ジョーが十分な距離だけ離れている場合には、プロング２３４が案内部２４０によって十分に閉鎖位置へと屈曲されず、組織の端部が不適当に吻合されてしまい、切除した腸の内容物が患者の開腹した腹部内にこぼれ、その結果、感染および合併症の併発の可能性が増加する。
【００６１】
本発明の例証的な実施形態によれば、切断および吻合動作中における、切断・吻合要素、例えばウェッジ２７０および刃５１が、切断および吻合動作中に、手術用装置１１の末端部から基端部への移動して、上方ジョーと下方ジョーが分離、または強制的に離間される傾向が、切断および吻合動作中に減少する。詳細には、切断および吻合動作中に、切断および吻合要素、例えばウェッジ２７０、ブレード５１を、手術用装置１１の末端部から基端部へ移動することで、結果的に、その末端部における上方ジョーと下方ジョーの間の距離が短縮される。例えば、吻合および切断動作中にウェッジ／刃が基端部から末端部へと移動する直線状クランピング、切断、吻合を行う装置において、ウェッジと遭遇する第１留め具は、基端部に最も近接している留め具である。ウェッジがこの第１留め具の太い端部と接触すると、ウェッジが、留め具のプロングを、上方ジョー内部において対向した吻合案内部と強制的に接触させる。プロングが屈曲および閉鎖するまで、留め具のプロングと、対向する吻合案内部との間におけるこの接触によって、基端部における上方ジョーと下方ジョーの間の距離が若干増加する。しかしながら、上方ジョーと下方ジョーが、その基端部において機械的、例えば旋回可能に接続しているが、末端部においては自由であるため、基端部における上方ジョーと下方ジョーの間の距離のこの若干の増加により、末端部における上方ジョーと下方ジョーの間の距離が比較的大きく増加することになる。同時に、上方ジョーと下方ジョーの間にクランピングされた組織を刃が切断している最中に、刃の末端部の移動により、上方ジョーと下方ジョーの間にクランピングされた組織が、両ジョーの末端部へと押圧される傾向にある。両ジョーがその末端部において強制離間されたため、より多くの（すなわちより厚い）組織を両ジョーの末端部に収容でき、組織に対抗する刃の押圧動作により、より多くの組織を両ジョーの末端部における空間内に押入することができる。上方ジョーと下方ジョーの末端部間に追加の組織が収容されると、組織が両ジョーの末端部をさらに強制的に離間させようとする。切断および吻合要素が両ジョーの末端部へと移動した場合、末端部における両ジョー間の距離が非常に大きくなり、その結果、両ジョーの末端部間における組織の効果的な吻合の状態が粗悪になってしまう可能性がある。
【００６２】
これとは反対に、本発明の例証的な実施形態によれば、ウェッジ２７０と遭遇する第１留め具２３０は、下方ジョー５０の末端部に最も近接した留め具である。ウェッジ２７０がこの第１留め具の太い端部２３２と接触すると、ウェッジ２７０が、留め具２３０のプロング２３４を、上方ジョー８０内の対向する吻合案内部２４０と接触させる。留め具２３０のプロング２３４と、対向する吻合案内部２４０の間のこの接触によって、上方ジョー８０と下方ジョー５０はその末端部において自由であるため、末端部における上方ジョー８０と下方ジョー５０の間の距離が若干増加する。しかしながら、上方ジョー８０と下方ジョー５０はその基端部において機械的に接続しているため、末端部における上方ジョー８０と下方ジョー５０の間の距離が若干増加しても、基端部における上方ジョー８０と下方ジョー５０の間の距離がこれに対して大きく増加することはない。さらに、本発明の例証的な実施形態によれば、上方ジョー５０と下方ジョー８０の間にクランピングされた組織を刃５１が切断している最中に、刃５１の水平移動によって、上方ジョー８０と下方ジョー５０の間にクランピングされた組織が両ジョーの基端部へと押される傾向にある。しかし、上方ジョー８０と下方ジョー５０はその基端部においては強制離間されていないため、両ジョーの基端部により多くの（つまり、より厚い）組織が収容されることはなく、また、組織に対抗する刃５１の切断力によって、両ジョーの基端部における空間内により多くの組織が押入されることもない。したがって、上方ジョー８０と下方ジョー５０の基端部間に追加の組織が収容されないため、組織によって、両ジョーの基端部がさらに強制離間されることはない。そのため、切断および吻合要素、例えば刃５１とウェッジ２７０が下方ジョー５０の基端部へと移動するまでに、基端部における下方ジョー５０と上方ジョー８０の間の距離は実質的に変化せず、したがって、下方ジョー５０と上方ジョー８０の基端部間における組織を、最適且つ効率的に吻合することが確実に可能となる。さらに、ウェッジ２７０が、最終的に、ジョー５０、８０の基端部において留め具２３０と接触する際に、基端部における上方ジョー８０と下方ジョー５０の間の距離が若干増加する。しかし、基端部に位置している組織は既に切断および吻合されているため、この時点では、末端部における上方ジョー８０と下方ジョー５０の間の距離のいかなる増加も意味がない。したがって、本発明は、上方ジョーと下方ジョーの、動作中に離間する傾向を減少させることにより、最適且つ効率的な吻合を保証する。
【００６３】
さらに、本発明の例証的な実施形態により、ウェッジ２７０の移動に要するトルクを低減することができ、また、これにより、手術用装置の様々な構成要素にかかる応力を低減することができる。例えば、ウェッジ／刃を基端部から末端部へと移動させる直線状クランピング、切断、吻合を行う装置では、ウェッジ／刃と装置の基端部（回転可能なドライブシャフトが装置と結合している地点）との間の距離が増加するために、ウェッジ／刃が基端部から末端部へ移動する際に、ウェッジ／刃の移動に必要なトルクが増加する。これに加えて、ウェッジ／刃が基端部から末端部へ移動する際にも、装置の基端部に追加の組織が収容されているために、ウェッジ／刃を移動するために必要なトルクが増加する。上述したように、上方ジョーと下方ジョーの間にクランピングされた組織が刃によって切断されている最中に、刃の末端移動により、上方ジョーと下方ジョーの間にクランピングされた組織が両ジョーの末端部へと押される傾向にある。両ジョーの末端部に収容されている組織をより多く（すなわち、より厚く）切るために、水平ドライブシャフトがウェッジ／刃により高いトルクを供給することが必要である。したがって、切断および吻合要素が両ジョーの末端部へ移動する際にトルクが増加することで、ウェッジ／刃、および装置の駆動機構内に応力を生じさせる。
【００６４】
これとは反対に、本発明の例証的な実施形態によれば、切断および吻合動作中に、ウェッジ２７０を移動するために必要なトルクが低減し、これにより、手術用装置１１の様々な構成要素にかかる応力が低減する。例えば、ウェッジ２７０と刃５１を下方ジョー５０の末端部から基端部へと移動する手術用装置１１では、ウェッジ／刃と装置の基端部（回転可能なドライブシャフトが装置と結合している地点）の間の距離が減少するために、ウェッジ２７０と刃５１が下方ジョー５０の末端部から基端部へ移動するに従って、ウェッジ２７０と刃５１を移動するために必要なトルクが低減する。これに加えて、ジョー５０、８０の基端部には追加の組織が収容されていないため、ウェッジ／刃が下方ジョー５０の末端部から末端部へ移動するに従って、ウェッジ／刃を移動するために必要なトルクも同様に低減する。従来の直線状クランピング、切断、吻合を行う装置とは異なり、上方ジョー８０と下方ジョー５０の間にクランピングされた組織を手術用装置１１の刃５１が切断している間に、刃５１の基端部での移動によって、上方ジョー８０と下方ジョー４０の間にクランピングされた組織が両ジョーの基端部へ押される傾向はない。そのため、両ジョーの基端部に収容されている組織を刃５１がより多く（つまり、より厚く）切る必要はなく、また、組織を切断するために、下方水平シャフト２６０がウェッジ２７０と刃５１に対してより高いトルクを供給する必要もない。ウェッジ２７０と刃５１が下方ジョー５０の基端部への移動を完了するとトルクが低減し、これにより、ウェッジ２７０、刃５１、第１ドライバ２６１等における応力が低減する。
【００６５】
本発明の例証的な実施形態はさらに、直線状クランピング、切断、吻合を行う装置の長さを短縮し、これにより、装置の狭い範囲内への採用の可能性を向上することも可能である。直線状クランピング、切断、吻合を行う装置を、例えば患者の身体内において身体的に採用することが可能であるため、この装置は、患者の身体内部で操作可能なように十分に小型である必要がある。ウェッジ／刃が基端部から末端部へ移動する従来の直線状クランピング、切断、吻合装置では、装置の基端部においてウェッジ／刃を収容するために必要な空間によって装置の全長が増加してしまう。この装置全長の増加により、装置を患者の身体内で操作することがより困難となる。
【００６６】
これとは反対に、本発明の例証的な実施形態によれば、手術用装置１１は、最初の段階では、メモリユニット１１７４と、垂直ドライブシャフト１３０と、また、手術用装置１１の基端部に配置されているこれ以外の様々な構成要素とによって妨害を受けない下方ジョー５０の末端部に、ウェッジ２７０と刃５１を収容している。したがって、最初にウェッジ２７０と刃５１を下方ジョー５０の末端部に配置し、さらに、ウェッジ２７０と刃５１を下方ジョー５０の末端部から基端部へ移動することで、従来の直線状クランピング、切断、吻合を行う装置に関連した手術用装置１１の全長を短縮することが可能になる。この全長の短縮により、従来の直線状クランピング、切断、吻合を行う装置と比較して、手術用装置１１を患者の身体内で操作し易くなる。
【００６７】
或る例証的な実施形態に従って、手術用装置１１の必要な全長を、従来の直線状クランピング、切断、吻合を行う装置に対して短縮することで、手術用装置１１は、ストローク長、例えば、切断および吻合動作中にウェッジ２７０と刃５１が移動できる距離を、従来の直線状クランピング、切断、吻合を行う装置と比較して、関連的に増加する（約３０％）ことが可能である。例えば、最初にウェッジ２７０と刃５１を末端部に位置決めすることで確保した空間によって、手術用装置１１の全長を短縮することができるので（従来の直線状クランピング、切断、吻合を行う装置の全長に関連した場合）、この確保した空間によって、手術用装置１１のストローク長も同様に増加する。したがって、或る例証的な実施形態によれば、手術用装置１１を、従来の直線状クランピング、切断、吻合を行う装置よりもさらに広範囲の組織をクランピング、切断、吻合するように構成することが可能である。
【００６８】
図３１〜図３３に示した例証的な実施形態はさらに、手術用装置１１の安全性を向上させること可能であり、つまり、ウェッジ２７０が下方ジョー５０の末端部における初期位置にある際に、刃６５１の切断縁６５１ａを引き込む、例えば露出しないことができる。詳細には、この例証的な実施形態によれば、動作段階の最中、クランピング、切断、吻合される組織部位が手術用装置１１の上方ジョー８０と下方ジョー５０の間に配置およびクランピングされると、刃６５１の切断縁６５１ａが引き込まれる。この位置決めおよびクランピング動作段階中に、刃６５１の切断縁６５１ａを引き込むことで、組織部位が適切にクランピングされる前に、不注意で該組織部位を切ってしまう可能性が減少する。さらに、引き込み式の刃６５１を使用すれば、例えば術者または他の装置を刃６５１で不注意により切断してしまう場合を低減することもできる。例証的な実施形態によれば、組織部位をクランピングした後（また、切断およびクランピング動作段階を開始することが適切であると判断された後）のみにおいて、ウェッジ２７０が下方ジョー５０の基端部へと移動されるため、刃６５１の切断縁６５１ａが、例えば下方ジョー５０の基端部に向いた状態で、切断位置に配置される。
【００６９】
したがって、前述した本発明のいくつかの目的および利点が最も効果的に得られる。当業者は、本発明の精神および範囲から逸脱しない限り、前述した例証的な実施形態に対して様々な変更を加えられることを理解するだろう。本願明細書中では、本発明の１つの例証的な実施形態について詳細に説明および開示したが、本発明がいかなる形でもこれによって限定されないことが理解されるべきである。
【図面の簡単な説明】
【００７０】
【図１】従来の直線状クランピング、切断、吻合を行う装置の斜視図である。
【図２】本発明の或る例証的な実施形態による電気機械式手術用システムの斜視図である。
【図３】本発明の或る例証的な実施形態による直線状クランピング、切断、吻合を行う装置毎の閉鎖および開放配置をそれぞれ示す側面図である。
【図４】本発明の或る例証的な実施形態による直線状クランピング、切断、吻合を行う装置毎の閉鎖および開放配置をそれぞれ示す側面図である。
【図５】図３、図４に示した直線状クランピング、切断、吻合を行うアタッチメント毎の閉鎖および開放配置をそれぞれ示す側断面図である。
【図５Ａ】図３〜図６に示した直線状クランピング、切断、吻合を行うアタッチメント毎の閉鎖および開放位置を示す別の断面図である。
【図６】図３、図４に示した直線状クランピング、切断、吻合を行うアタッチメント毎の閉鎖および開放配置をそれぞれ示す側断面図である。
【図７】図３〜図６に示した直線状クランピング、切断、吻合を行うアタッチメントの背面断面図である。
【図８】図３〜図６に示した直線状クランピング、切断、吻合を行うアタッチメントの背面断面図である。
【図９】図３〜図６に示した直線状クランピング、切断、吻合を行うアタッチメントの背面断面図である。
【図１０】図３〜図６に示した直線状クランピング、切断、吻合を行うアタッチメントの背面断面図である。
【図１１】図３〜図６に示した直線状クランピング、切断、吻合を行うアタッチメントの背面断面図である。
【図１２】図３〜図６に示した直線状クランピング、切断、吻合を行うアタッチメントの背面断面図である。
【図１３】図３〜図６に示した直線状クランピング、切断、吻合を行うアタッチメントの背面断面図である。
【図１４】図３〜図６に示した直線状クランピング、切断、吻合を行うアタッチメントの背面断面図である。
【図１５】それぞれ、図３〜図１４に示した直線状クランピング、切断、吻合を行うアタッチメントの底部断面図、上部断面図、深い上部断面図、底部断面図、正面図である。
【図１６】それぞれ、図３〜図１４に示した直線状クランピング、切断、吻合を行うアタッチメントの底部断面図、上部断面図、深い上部断面図、底部断面図、正面図である。
【図１７】それぞれ、図３〜図１４に示した直線状クランピング、切断、吻合を行うアタッチメントの底部断面図、上部断面図、深い上部断面図、底部断面図、正面図である。
【図１８】それぞれ、図３〜図１４に示した直線状クランピング、切断、吻合を行うアタッチメントの底部断面図、上部断面図、深い上部断面図、底部断面図、正面図である。
【図１９】それぞれ、図３〜図１４に示した直線状クランピング、切断、吻合を行うアタッチメントの底部断面図、上部断面図、深い上部断面図、底部断面図、正面図である。
【図２０】図３〜図１９に示した直線状クランピング、切断、吻合を行うアタッチメントの側断面図である。
【図２１】本発明の或る例証的な実施形態による電気機械式手術用装置の可撓性シャフトの部分断面的な側部展開図である。
【図２２】図２１に示した線２２−２２に沿った可撓性シャフトの断面図である。
【図２３】図２１に示した可撓性シャフトの第１結合部を示す背面端面図である。
【図２４】図２１に示した可撓性シャフトの第２結合部を示す正面端面図である。
【図２５】図２に示した電気機械式手術用装置のモータ装置を示す概略図である。
【図２６】図２に示した電気機械式手術用装置の概略図である。
【図２７】図２１に示した可撓性シャフトのエンコーダの概略図である。
【図２８】本発明の或る例証的な実施形態による直線状クランピング、切断、吻合を行う装置のメモリ装置を示す概略図である。
【図２９】図２に示した電気機械式手術用装置の無線式遠隔制御ユニットの概略図である。
【図３０】図２に示した電気機械式手術用装置の有線式制御ユニットの概略図である。
【図３１】本発明の或る例証的な実施形態による吻合要素と移動可能に結合した切断要素を示す、直線状クランピング、切断、吻合を行うアタッチメントの閉鎖配置にある側断面図である。
【図３２】本発明の或る例証的な実施形態による吻合要素と移動可能に結合した切断要素を示す、直線状クランピング、切断、吻合を行うアタッチメントの閉鎖配置にある側断面図である。
【図３３】本発明の或る例証的な実施形態による吻合要素と移動可能に結合した切断要素を示す、直線状クランピング、切断、吻合を行うアタッチメントの閉鎖配置にある側断面図である。
【図１】
2005511131.tif 000003
【図２】
2005511131.tif 000004
【図３】
2005511131.tif 000005
【図４】
2005511131.tif 000006
【図５】
2005511131.tif 000007
【図５Ａ】
2005511131.tif 000008
【図６】
2005511131.tif 000009
【図７】
2005511131.tif 000010
【図８】
2005511131.tif 000011
【図９】
2005511131.tif 000012
【図１０】
2005511131.tif 000013
【図１１】
2005511131.tif 000014
【図１２】
2005511131.tif 000015
【図１３】
2005511131.tif 000016
【図１４】
2005511131.tif 000017
【図１５】
2005511131.tif 000018
【図１６】
2005511131.tif 000019
【図１７】
2005511131.tif 000020
【図１８】
2005511131.tif 000021
【図１９】
2005511131.tif 000022
【図２０】
2005511131.tif 000023
【図２１】
2005511131.tif 000024
【図２２】
2005511131.tif 000025
【図２３】
2005511131.tif 000026
【図２４】
2005511131.tif 000027
【図２５】
2005511131.tif 000028
【図２６】
2005511131.tif 000029
【図２７】
2005511131.tif 000030
【図２８】
2005511131.tif 000031
【図２９】
2005511131.tif 000032
【図３０】
2005511131.tif 000033
【図３１】
2005511131.tif 000034
【図３２】
2005511131.tif 000035
【図３３】
2005511131.tif 000036
【国際調査報告】
2005511131.tif 000037
2005511131.tif 000038
2005511131.tif 000039
2005511131.tif 000040
2005511131.tif 000041
2005511131.tif 000042